(57)【特許請求の範囲】
【請求項１】
Ｗｅｂブラウザを搭載し、Ｗｅｂサイトのサーバから取得したコンテンツデータおよび前記Ｗｅｂサイトのサーバから受信したメッセージデータあるいは電子メールデータ等のデータを表示する機能を有する携帯通信端末装置において、
所定色のバックライトの点灯により前記データを表示する表示手段と、
前記バックライトの点灯時間を計時するタイマ手段と、
前記バックライトの点灯色および点灯時間を制御するバックライト制御手段と、を有し、
前記バックライト制御手段は、前記データの種類，優先度または長さに応じて前記バックライトの点灯色および点灯時間を制御することを特徴とする携帯通信端末装置。
【請求項２】
前記バックライト制御手段は、前記データの種類が前記Ｗｅｂサイトから受信したメッセージデータのとき前記バックライトの点灯色を前記Ｗｅｂサイトからのメッセージデータ用の表示色に設定し、前記バックライトの点灯時間を所定の基準時間に設定することを特徴とする請求項１に記載の携帯通信端末装置。
【請求項３】
前記バックライト制御手段は、前記データの種類が前記Ｗｅｂサイトから受信した電子メールデータのとき前記バックライトの点灯色を前記電子メールデータの配信の優先度に応じて設定し、前記バックライトの点灯時間を前記電子メールデータのデータ量に応じて設定することを特徴とする請求項１に記載の携帯通信端末装置。
【請求項４】
前記バックライトの点灯色は、前記優先度が速達のとき速達の電子メールデータ表示用の表示色に設定され、前記優先度が通常のとき所定の基準色に設定されることを特徴とする請求項３に記載の携帯通信端末装置。
【請求項５】
前記バックライトの点灯時間は、前記データ量が所定の基準時間内で表示可能なとき所定の基準時間に設定され、前記データ量が前記所定の基準時間内で表示不可能なとき前記データ量から算出した時間が設定されることを特徴とする請求項３に記載の携帯通信端末装置。
【請求項６】
前記バックライト制御手段は、前記データの種類が前記Ｗｅｂサイトのサーバから取得したコンテンツデータのとき、前記コンテンツデータの取得完了後に自動的に前記バックライトを所定の点灯色で所定の時間点灯することを特徴とする請求項１に記載の携帯通信端末装置。
【発明の詳細な説明】
【０００１】
【発明の属する技術分野】
本発明は、携帯通信端末装置に関し、特に、余分な操作を必要とせず受信したメッセージの種類あるいは配信の優先度を確認でき、取得したコンテンツデータを表示する際に余分な操作を必要とせずバックライトを点灯させることができる携帯通信端末装置に関する。
【０００２】
【従来の技術】
Ｗｅｂブラウザを搭載した携帯電話あるいは携帯情報端末（以下、携帯通信端末装置という）においては、Ｗｅｂサイトのサーバからコンテンツデータを取得したり、Ｗｅｂサイトのサーバからのメッセージの受信や電子メールなどの送受信が可能であり、取得したデータ，受信したメッセージあるいは電子メールは表示部に表示されるようになっている。
【０００３】
一般に、このような携帯通信端末装置では、夜間や周囲が暗い場合に、表示部に表示される情報を識別できるように、バックライトで表示部（液晶面）を照射し、情報の識別を可能にする方法がとられている。しかし、このバックライトは、消費電力が他の部分に比べると大きいので、通常は、消費電力を最小限に抑えるために、表示部のバックライトの点灯・消灯をタイマで制御するようにしている。
【０００４】
このため、例えば、Ｗｅｂサイトのサーバから受信したメッセージや電子メール（以下、単にメッセージという）が長い場合には、利用者がメッセージを表示してから読み終わるまでの間にバックライトが消灯してしまい、メッセージの続きを読む場合には、携帯通信端末装置に対し何らかの操作が必要となる。そこで、表示画面が小さい携帯通信端末装置などでは、長いメッセージを表示する場合に一度に全てを表示することができないこと、および、長い受信メッセージを読む際の利用者の操作の連続性に着目し、操作の有無をタイマで監視し、操作毎にタイマをリセットすることによりバックライトを点灯する方法を採用している。
【０００５】
しかし、例えば、表示されているメッセージを読むための時間と表示部のバックライトが点灯する時間との差が大きい場合には、利用者がメッセージの全てを読み終わる前にバックライトが消え、その度に利用者はバックライトを点灯させるための操作を行なわなければならない。このため、例えば、特開平９−３２５７２８号公報に記載されているような端末装置が提案されている。この端末装置は、表示部に表示されるデータの量に応じてバックライトの点灯時間を可変設定するようにしたものである。この端末装置によれば、表示されるデータ量が多い場合でも、そのデータ量に応じてバックライトが所定時間点灯するため、表示されるデータを全て確認することができる、としている。
【０００６】
【発明が解決しようとする課題】
しかしながら、上述したような従来の携帯通信端末装置によれば、以下のような問題があった。
（１）バックライトの点灯色は、利用者の操作や表示するメッセージに関係なく同じ色で表示されるため、利用者がメッセージの受信に気が付かなかったり、また、表示メッセージを見たとき、一目で、どのような種類でどのような優先度をもったメッセージであるのかがわからず、後で内容を確認しなければならないなど、余分な操作が必要となるという問題があった。
（２）また、例えば、Ｗｅｂサイトから取得したコンテンツに表示されているリンク先のデータを取得する際、所定の操作によって通信を開始し、利用者が目的とするデータを取得し、取得後のデータが表示画面に表示されるが、このリンク先のデータを取得するための操作からリンク先のデータを取得するまでの通信の間、ユーザの操作が発生しないため、一定時間経過すると、タイマによって表示のためのバックライトが消灯になり、取得したデータの表示はバックライト消灯の状態で行なわれるか、あるいは、表示途中でバックライトが消灯してしまい、これが暗い場所での操作であった場合には、表示されるデータを識別できず点灯のための余分な操作を行わなければならないという問題があった。
【０００７】
従って、本発明の目的は、余分な操作を必要とせず受信したメッセージの種類あるいは配信の優先度を確認することができ、取得したコンテンツデータを表示する際に余分な操作を必要とせずバックライトを点灯させることができる携帯通信端末装置を提供することにある。
【０００８】
【課題を解決するための手段】
本発明は、上記の目的を達成するため、Ｗｅｂブラウザを搭載し、Ｗｅｂサイトのサーバから取得したコンテンツデータおよびＷｅｂサイトのサーバから受信したメッセージデータあるいは電子メールデータ等のデータを表示する機能を有する携帯通信端末装置において、所定色のバックライトの点灯によりデータを表示する表示手段と、バックライトの点灯時間を計時するタイマ手段と、バックライトの点灯色および点灯時間を制御するバックライト制御手段と、を有し、バックライト制御手段は、データの種類，優先度または長さに応じてバックライトの点灯色および点灯時間を制御することを特徴とする携帯通信端末装置を提供するものである。
【０００９】
以上の構成において、バックライト制御手段は、データの種類がＷｅｂサイトから受信したメッセージデータのときバックライトの点灯色をＷｅｂサイトからのメッセージデータ用の表示色に設定し、バックライトの点灯時間を所定の基準時間に設定することが望ましい。
【００１０】
また、バックライト制御手段は、データの種類がＷｅｂサイトから受信した電子メールデータのときバックライトの点灯色を電子メールデータの配信の優先度に応じて設定し、バックライトの点灯時間を電子メールデータのデータ量に応じて設定することが望ましい。この場合、バックライトの点灯色は、優先度が速達のとき速達の電子メールデータ表示用の表示色に設定され、優先度が通常のとき所定の基準色に設定されることが望ましく、バックライトの点灯時間は、データ量が所定の基準時間内で表示可能なとき所定の基準時間に設定され、データ量が所定の基準時間内で表示不可能なときデータ量から算出した時間が設定されることが望ましい。
【００１１】
更に、バックライト制御手段は、データの種類がＷｅｂサイトのサーバから取得したコンテンツデータのとき、コンテンツデータの取得完了後に自動的にバックライトを所定の点灯色で所定の時間点灯することが望ましい。
【００１３】
【発明の実施の形態】
以下、添付図面を参照しながら、本発明の実施の形態を詳細に説明する。
【００１４】
図１は、この携帯通信端末装置が適用される携帯電話の通信システムを示す図であり、図２は、この携帯電話の構成を示すブロック図である。
図１に示すように、Ｗｅｂサイトのサーバ１０上のコンテンツ，Ｗｅｂサイトのサーバ１０からのメッセージあるいはインターネット上の電子メールは、Ｗｅｂサイトのサーバ１０およびネットワークのメールサーバ１１からゲートウェイ１２，交換機１３，無線基地局１４を経て、利用者１の携帯電話２０に送信される。なお、２３は携帯電話２０の表示部に表示される内容の一例である。
【００１５】
この携帯電話２０は、図２に示すように、Ｗｅｂサイトのサーバ１０上のコンテンツに表示されるリンク先のデータおよびＷｅｂサイトのサーバ１０からのメッセージあるいは電子メールを格納するメモリ２１と、携帯電話２０の一般的な機能操作を行う操作部２２と、携帯電話２０の利用者の操作により内容を表示する表示部２３と、表示部２３の表示を制御する表示制御部２４と、メッセージの種類，優先度，長さに合わせてバックライトの点灯制御を行なう表示バックライト制御部２５と、バックライト点灯の所定時間の制御を行なうタイマ２６と、携帯電話に外部装置（図示せず）を接続するための入出力部である周辺装置インターフェース部２７と、携帯電話２０の全体の制御を行なう制御部２８と、から構成されている。
【００１６】
以上の構成において、送信されたＷｅｂサイトのサーバ１０上のコンテンツに表示されるリンク先のデータおよびＷｅｂサイトのサーバ１０からのメッセージあるいは電子メールは、携帯電話２０内のメモリ２１に格納され、携帯電話２０の利用者１の操作により携帯電話２０の表示部２３に表示される。この時、表示バックライト制御部２５は、表示する内容が、取得したデータか、メッセージか、電子メールかの種類およびその優先度並びにその長さに合わせて点灯制御を行なう。
【００１７】
以下、図３，４のフローチャートを参照しながら、受信メッセージ，電子メールを表示する際、およびコンテンツに表示されているリンク先のデータを表示する際、の動作について説明する。
【００１８】
図３は、受信メッセージ，電子メールに関する表示の際の動作を示すフローチャートである。
まず、携帯電話２０の利用者１の操作、または、メッセージの受信により受信したメッセージの表示処理を行なうかどうかを判断し（ステップＳ３０１）、受信メッセージの表示処理以外の場合は（ステップＳ３０１の判断：Ｎｏ）、バックライトの点灯時間を装置内の基準値でタイマ２６に設定する（ステップＳ３０５）。
【００１９】
利用者１が、受信したメッセージの表示処理を選択した場合は（ステップＳ３０１の判断：Ｙｅｓ）、メモリ２１に格納されている表示対象のメッセージよりメッセージの種類，優先度，長さを取得し（ステップＳ３０２）、表示するメッセージの種類を判断する（ステップＳ３０３）。
【００２０】
利用者１が表示するメッセージが、Ｗｅｂサイトのサーバ１０からのメッセージの場合（ステップＳ３０３の判断：Ｎｏ）、バックライトの表示色をＷｅｂサイトのメッセージ表示用の色に変更し（ステップＳ３０４）、バックライトの点灯時間を装置内の基準値でタイマ２６に設定する（ステップＳ３０５）。
【００２１】
一方、利用者が表示するメッセージが受信メールの場合（ステップＳ３０３の判断：Ｙｅｓ）、最初に受信メールの配信の優先度を判断し（ステップＳ３０６）、配信の優先度が普通の場合は（ステップＳ３０６の判断：Ｎｏ）、バックライト色はシステム標準の色を使用し、配信の優先度が速達の場合は（ステップＳ３０６の判断：Ｙｅｓ）、バックライトの表示色の情報を速達の受信メール表示用のバックライトの色に変更する（ステップＳ３０７）。
【００２２】
受信メールの表示で配信の優先度を確認した後、メッセージ長から表示文字数を算出する（ステップＳ３０８）。表示文字数を計算した結果、装置内の基準値で点灯時間が間に合うか否かを判断し（ステップＳ３０９）、装置内の基準値で点灯時間が間に合う場合は（ステップＳ３０９の判断：Ｙｅｓ）、受信メッセージ以外の処理と同様にバックライトの点灯時間を装置内の基準値でタイマ２６に設定し（ステップＳ３１０）、基準値を越える場合は（ステップＳ３０９の判断：Ｎｏ）、表示文字数からバックライトの点灯時間を算出する（ステップＳ３１１）。
【００２３】
この点灯時間の算出方法は、まず、人が１分間に原稿を読む速度を約３００文字と仮定し、この時の文字数を“１”とする。そこで、表示文字数がこの“１”に対し、どの程度の比率であるかを算出する。そして、この算出値と、原稿を読む速度に対する装置内のバックライトの点灯時間の基準値の比率（即ち、装置内の基準値の何倍が原稿を読む速度に対応するかの比率）とを掛け、その値に装置内のバックライトの点灯時間の基準値を掛け合わせることで算出する。算出して得られた値はバックライトの点灯時間としてタイマ２６に設定される（ステップＳ３１２）。
【００２４】
バックライトの点灯時間をタイマ２６に設定した後は、表示対象のメッセージを表示部２３に表示し（ステップＳ３１３）、表示メッセージに合わせたバックライトの点灯色の情報を表示バックライト制御部２５に設定し（ステップＳ３１４）、バックライトを点灯する（ステップＳ３１５）。
【００２５】
バックライトが点灯した後は、タイマ２６がタイムアウトしたか否かを判断し（ステップＳ３１６）、タイムアウトしていない場合は（ステップＳ３１６の判断：Ｎｏ）、継続してタイムアウトを監視する。
【００２６】
タイマ２６がタイムアウトした場合（ステップＳ３１６の判断：Ｙｅｓ）、タイムアウト後に、利用者からの操作部２２を利用したキー操作または周辺装置インタフェース部２７から事象が発生しているか否かを判断し（ステップＳ３１７）、利用者のキー操作がなかった場合または周辺装置インタフェース部２７から事象が発生していなければ（ステップＳ３１７の判断：Ｎｏ）、表示バックライト制御部２５を制御し、バックライトを消灯する（ステップＳ３１８）。
【００２７】
タイムアウト後に、利用者からの操作または周辺装置インタフェース部２７からの事象が発生した場合は（ステップＳ３１７の判断：Ｙｅｓ）、タイマ２６に装置内の基準値を設定し（ステップＳ３１９）、表示バックライト制御部２５を制御して、バックライト点灯の制御を行う（ステップＳ３１４）。
【００２８】
このように、受信したメッセージの種類、優先度、長さにより端末装置のバックライトの点灯色，点灯時間を制御するようにしたので、表示している受信メッセージがどういうものかが一目で判るだけでなく、長いメッセージにおいても利用者がメッセージを読み終わるまでの間、表示部のバックライトを点灯することができ、メッセージを読む際の端末に対する利用者の不要な操作を削減することができる。また、バックライトの点灯時間を動的に制御することにより、表示部のバックラト点灯による電池の消費を最小限に押さえることができる。
【００２９】
図４は、ＷｅｂサイトのデータまたはＷｅｂサイトあるいはメールサーバに蓄積されているデータを取得する際のバックライトの制御の動作を示すフローチャートである。
【００３０】
まず、携帯電話２０の利用者１の操作がＷｅｂサイト上のコンテンツデータの取得かどうかを判断し（ステップＳ４０１）、Ｗｅｂサイト上のコンテンツデータの取得以外の場合は（ステップＳ４０１の判断：ＮＯ）、バックライトの点灯時間を装置内の基準値でタイマ２６に設定後（ステップＳ４０４）、バックライトを点灯する（ステップＳ４０５）。
【００３１】
利用者がＷｅｂサイト上のコンテンツデータの取得の操作を行った場合は、取得するデータが既に取得済でメモリ２１に格納されているかどうかを判断する（ステップＳ４０２）。
【００３２】
既に取得済のデータの場合（ステップＳ４０２の判断：ＮＯ）、バックライトの表示色をＷｅｂサイトのコンテンツ表示用のバックライトの色に変更し（ステップＳ４０３）、バックライトの点灯時間を装置内の基準値でタイマ２６に設定後（ステップＳ４０４）、バックライトを点灯する（ステップＳ４０５）。
【００３３】
Ｗｅｂサイトから取得しようとするコンテンツが未取得の場合（ステップＳ４０２の判断：ＹＥＳ）、バックライトの点灯時間を装置内の基準値でタイマ２６に設定し（ステップＳ４０６）、バックライトの点灯後（ステップＳ４０７）、Ｗｅｂサイトよりコンテンツ取得のための通信を開始する（ステップＳ４０８）。この時のバックライトの点灯は、利用者がデータ取得のための操作を行ったことによる。
【００３４】
コンテンツ取得のための通信、あるいは、利用者の操作により端末内の別のコンテンツの表示、あるいは、コンテンツ表示以外の別の処理に関する内容を表示し、バックライト点灯後はバックライト点灯のタイマ２６がタイムアウトしたか否かを判断し（ステップＳ４０９）、タイムアウトしていない場合は（ステップＳ４０９の判断：Ｎｏ）、継続してタイムアウトを監視する。
【００３５】
バックライト点灯のタイマ２６がタイムアウトした場合（ステップＳ４０９の判断：Ｙｅｓ）、タイムアウト後に、利用者からの操作部２２を利用したキー操作または周辺装置インタフェース部２７からの事象が発生したか否かを判断し（ステップＳ４１０）、利用者からの操作部２２を利用したキー操作または周辺装置インターフェース部２７から事象が発生していなければ（ステップＳ４１０の判断：ＮＯ）、バックライト制御部２５を制御し、バックライトを消灯する（ステップＳ４１１）。
【００３６】
タイムアウト後に、利用者からの操作または周辺装置インターフェース部２７からの事象を確認した場合は（ステップＳ４１０の判断：ＹＥＳ）、バックライト点灯タイマ２６に装置内の基準値を設定し（ステップＳ４１２）、表示バックライト制御部２５に点灯の制御を行なう（ステップＳ４１３）。
【００３７】
バックライト消灯後、通信処理中かどうかを判断し（ステップＳ４１４）、通信中でなければ（ステップＳ４１４の判断：ＮＯ）、次の利用者から操作待ちとなり処理を終了する。通信中の場合は（ステップＳ４１４の判断：ＹＥＳ）、通信が継続しているかを判断し（ステップＳ４１５）、通信が終了していなければ（ステップＳ４１５の判断：ＮＯ）、継続して通信が継続しているかを監視し、通信が終了していれば（ステップＳ４１５の判断：ＹＥＳ）、バックライトの表示色を設定し（ステップＳ４１６）、バックライトの点灯タイマを装置内の基準値でタイマ２６に設定する（ステップＳ４１７）。
【００３８】
バックライトの点灯時間をタイマ２６に設定後は、表示対象の取得データを表示部２３に表示し（ステップＳ４１８）、表示メッセージに合わせたバックライトの点灯色の情報を表示バックライト制御部２５に通知し、バックライトを点灯する（ステップＳ４１９）。
【００３９】
バックライト点灯後の処理は、前述したステップＳ４０９からステップＳ４１３までの処理と同じになる。
【００４０】
このように、データ取得完了後に表示するデータとともにバックライトを点灯するようにしたので、取得したコンテンツに表示されているリンク先のデータを取得するための操作からデータを取得するまでの通信の間に消灯となったバックライトを点灯するための不要な操作を削減できる。
【００４１】
なお、取得したデータの種類、例えば、グラフィックやメッセージなど、取得したデータの大きさでもバックライトの点灯色，点灯時間を動的に制御するようにしてもよい。
【００４２】
【発明の効果】
以上説明したとおり、本発明の携帯通信端末装置によれば、所定色のバックライトの点灯によりデータを表示する表示手段と、バックライトの点灯時間を計時するタイマ手段と、バックライトの点灯色および点灯時間を制御するバックライト制御手段と、を有し、バックライト制御手段で、データの種類，優先度または長さに応じてバックライトの点灯色および点灯時間を制御するようにしたので、余分な操作を必要とせずに受信したメッセージの種類あるいは配信の優先度を確認することができ、余分な操作を必要とせず取得したコンテンツデータを表示する際にバックライトを点灯させることができる。
【図面の簡単な説明】
【図１】本実施の形態による携帯通信端末装置が適用される携帯電話の通信システムを示す図である。
【図２】図１の携帯電話の構成を示すブロック図である。
【図３】受信メッセージ，電子メールに関する表示の際の動作を示すフローチャートである。
【図４】ＷｅｂサイトのデータまたはＷｅｂサイトあるいはメールサーバに蓄積されているデータを取得する際のバックライトの制御の動作を示すフローチャートである。
【符号の説明】
１  利用者
１０  Ｗｅｂサイトのサーバ
１１  メールサーバ
１２  ゲートウェイ
１３  交換機
１４  無線基地局
２０  携帯電話
２１  メモリ
２２  キー装置
２３  表示部
２４  表示制御部
２５  表示バックライト制御部
２６  タイマ
２７  周辺装置インターフェース部
２８  制御部
【図１】
0003709299.tif 000002
【図２】
0003709299.tif 000003
【図３】
0003709299.tif 000004
【図４】
0003709299.tif 000005